(57)【要約】      （修正有）【課題】蛍光指紋のマーカーシグナルを迅速かつ高精度に検出することが可能な成分抽出方法、蛍光指紋測定装置、及びコンピュータが実行可能なプログラムを提供すること。【解決手段】１つのサンプルに対して、抽出条件を連続的に遷移させて成分の異なる複数のサンプルを抽出するサンプル抽出工程Ｓ１１と、抽出した複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得工程Ｓ１２と、を含む。【選択図】図５
2020076612.tif 000002
【特許請求の範囲】
【請求項１】
１つのサンプルに対して、抽出条件を連続的に遷移させて成分の異なる複数のサンプルを抽出するサンプル抽出工程と、
前記抽出した複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得工程と、
を含むことを特徴とする成分抽出方法。
【請求項２】
さらに、
前記抽出した複数のサンプルに対して測定による実測値を取得する実測値取得工程と、
前記蛍光指紋連続体情報を説明変数、前記実測値を目的変数として多変量解析を行い、多変量解析の結果に基づいて、蛍光指紋に基づく指標値を推定し、推定に重要な波長領域であるマーカーシグナルを検出するマーカーシグナル検出工程と、
を含む請求項１に記載の成分抽出方法。
【請求項３】
前記１つのサンプルは、薬用植物、機能性食品、機能性を有する青果物、通常の食品、木材、及び水質評価対象の水を含むことを特徴とする請求項１又は２に記載の成分抽出方法。
【請求項４】
前記サンプル抽出工程では、極性、温度、又は分子量に基づいた抽出法で前記複数のサンプルを抽出することを特徴とする請求項１〜３のいずれか１つに記載の成分抽出方法。
【請求項５】
前記測定は、各種の生理活性評価及び化学分析を含むことを特徴とする請求項２に記載の成分抽出方法。
【請求項６】
前記多変量解析は、主成分回帰、クラスター分析、判別分析、ＳＩＭＣＡ、重回帰分析、ＰＬＳ回帰分析、ＰＬＳ判別、ＳＶＭ回帰、ＳＶＭ判別、ＲＦ回帰、及びＲＦ判別の１又は複数であることを特徴とする請求項２に記載の成分抽出方法。
【請求項７】
前記マーカーシグナル検出工程では、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことを特徴とする請求項６に記載の成分抽出方法。
【請求項８】
前記蛍光指紋連続体情報に対して、中心化、標準化、規格化、微分、ベースライン補正、および／または、平滑化の処理を行うデータ前処理工程を更に含むことを特徴とする請求項２に記載の成分抽出方法。
【請求項９】
１つのサンプルに対して、抽出条件を連続的に遷移させて取得した成分の異なる複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得手段を備えたことを特徴とする蛍光指紋測定装置。
【請求項１０】
さらに、
前記蛍光指紋連続体情報を説明変数、前記複数のサンプルに対する測定による実測値を目的変数として多変量解析を行い、多変量解析の結果に基づいて、蛍光指紋に基づく指標値を推定し、推定に重要な波長領域であるマーカーシグナルを検出するマーカーシグナル検出手段を備えたことを特徴とする請求項９に記載の蛍光指紋測定装置。
【請求項１１】
前記１つのサンプルは、薬用植物、機能性食品、機能性を有する青果物、通常の食品、木材、及び水質評価対象の水を含むことを特徴とする請求項９又は１０に記載の蛍光指紋測定装置。
【請求項１２】
前記測定は、各種の生理活性評価及び化学分析を含むことを特徴とする請求項１０に記載の蛍光指紋測定装置。
【請求項１３】
前記多変量解析は、主成分回帰、クラスター分析、判別分析、ＳＩＭＣＡ、重回帰分析、ＰＬＳ回帰分析、ＰＬＳ判別、ＳＶＭ回帰、ＳＶＭ判別、ＲＦ回帰、及びＲＦ判別の１又は複数であることを特徴とする請求項１０に記載の蛍光指紋測定装置。
【請求項１４】
前記マーカーシグナル検出手段は、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことを特徴とする請求項１３に記載の蛍光指紋測定装置。
【請求項１５】
前記蛍光指紋連続体情報に対して、中心化、標準化、規格化、微分、ベースライン補正、および／または、平滑化の処理を行うデータ前処理工程を更に含むことを特徴とする請求項１０に記載の蛍光指紋測定装置。
【請求項１６】
１つのサンプルに対して、抽出条件を連続的に遷移させて抽出した成分の異なる複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得工程をコンピュータに実行させるためのコンピュータが実行可能なプログラム。
【請求項１７】
さらに、
前記複数のサンプルに対して測定による実測値を取得する実測値取得工程と、
前記蛍光指紋連続体情報を説明変数、前記実測値を目的変数として多変量解析を行い、多変量解析の結果に基づいて、蛍光指紋に基づく指標値を推定し、推定に重要な波長領域であるマーカーシグナルを検出するマーカーシグナル検出工程と、
をコンピュータに実行させることを特徴とする請求項１６に記載のコンピュータが実行可能なプログラム。
【請求項１８】
前記１つのサンプルは、薬用植物、機能性食品、機能性を有する青果物、通常の食品、木材、及び水質評価対象の水を含むことを特徴とする請求項１６又は１７に記載のコンピュータが実行可能なプログラム。
【請求項１９】
前記測定は、各種の生理活性評価及び化学分析を含むことを特徴とする請求項１７に記載のコンピュータが実行可能なプログラム。
【請求項２０】
前記多変量解析は、主成分回帰、クラスター分析、判別分析、ＳＩＭＣＡ、重回帰分析、ＰＬＳ回帰分析、ＰＬＳ判別、ＳＶＭ回帰、ＳＶＭ判別、ＲＦ回帰、及びＲＦ判別の１又は複数であることを特徴とする請求項１７に記載のコンピュータが実行可能なプログラム。
【請求項２１】
前記マーカーシグナル検出工程では、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことを特徴とする請求項２０に記載のコンピュータが実行可能なプログラム。
【請求項２２】
前記蛍光指紋連続体情報に対して、中心化、標準化、規格化、微分、ベースライン補正、および／または、平滑化の処理を行うデータ前処理工程を更に含むことを特徴とする請求項１７に記載のコンピュータが実行可能なプログラム。
【発明の詳細な説明】
【技術分野】
【０００１】
本発明は、成分抽出方法、蛍光指紋測定装置、及びコンピュータが実行可能なプログラムに関する。  
【背景技術】
【０００２】
我が国の農業振興、農家の所得向上のため、農林水産物のさらなる付加価値向上が求められるなか、機能性に代表される、多数の成分が関与しうる農林水産物の品質についても迅速かつ低コストで探索、評価する手法のニーズが高まっている。
【０００３】
機能性をはじめとする、多数の成分が関与する品質の評価には、従来、精製・分析・バイオアッセイなどにより主要な寄与成分を同定した後、定量するというターゲット分析の活用が一般的であった。しかし、近年では目標成分を絞らずに含有成分を網羅的に解析するノンターゲット分析の手法を用い、多成分が関与する品質を精密に定量評価する取り組みがなされつつある。
【０００４】
果実の糖度などの迅速簡便評価法として実用化されている近赤外分光法も、標本が含む成分の分光学的性質を利用したノンターゲット分析の一種である。分光学的評価法の中でも蛍光指紋法（例えば、特許文献１，特許文献２，非特許文献１参照）は標本に含まれる各成分から発せられる多様な蛍光シグナルを解析することで、従来の分光学的手法よりも多くの成分情報を得られることから、多成分の関与する品質を精密に評価できる手法として期待され、蛍光指紋の直接取得が難しい性状の試料についても、粉砕および錠剤化（例えば、特許文献３参照）や溶媒抽出（例えば、非特許文献２参照）などの前処理を組み合わせる手法が開発されるなど応用範囲が広がりつつある。
【０００５】
農林水産物のような多様な成分を含む試料の品質を評価する際、従来のターゲット分析法では、主要寄与成分の同定に大きなコストを必要とする上、評価対象が主要成分に限られるため、複数の成分が関わる品質を正確に定量評価することは難しい。
【０００６】
ノンターゲット分析法においても、一般に煩雑な操作や高価な解析装置の運用など大き
なコストを必要とする。ノンターゲット分析法の中には、比較的コストの低い、蛍光指紋法がある。しかしながら、従来の蛍光指紋法では、共存する成分同士による蛍光の吸収や、成分固有の最適濃度を超えると発光効率が低下する濃度消光現象などによるシグナルの減弱や、近い波長のシグナルの分離が難しい等により、解析に資するシグナル数が減少する問題がある。特定のシグナルについて検出力を高める試料の前処理法も開発されているが、試料毎に前処理条件の最適化が必要である上、近い波長のシグナルを分離する効果はない。
【０００７】
すなわち、従来の蛍光指紋法では、試料そのまま、あるいは単一の溶媒による抽出物から蛍光指紋を取得するため、前述の問題が発生しやすかった。
【先行技術文献】
【特許文献】
【０００８】
【特許文献１】特許第３７０６９１４号公報
【特許文献２】特許第５８５６７４１号公報
【特許文献３】特開２０１７−３６９９１号公報
【非特許文献】
【０００９】
【非特許文献１】Ｄｈｅｎｉ  Ｍｉｔａ  Ｍａｌａ，Ｍａｓａｔｏｓｈｉ  Ｙｏｓｈｉｍｕｒａ，Ｓｕｓｕｍｕ  Ｋａｗａｓａｋｉ，Ｍｉｚｕｋｉ  Ｔｓｕｔａ，Ｍｉｔｏ  Ｋｏｋａｗａ，Ｖｉｐａｖｅｅ  Ｔｒｉｖｉｔｔａｙａｓｉｌ，Ｊｕｎｉｃｈｉ  Ｓｕｇｉｙａｍａ，Ｙｕｔａｋａ  Ｋｔａｍｕｒａ：Ｆｉｂｅｒ  ｏｐｔｉｃｓ  ｆｌｕｏｒｅｓｃｅｎｃｅ  ｆｉｎｇｅｒｐｒｉｎｔ  ｍｅａｓｕｒｅｍｅｎｔ  ｆｏｒ  ａｅｒｏｂｉｃ  ｐｌａｔｅ  ｃｏｕｎｔ  ｐｒｅｄｉｃｔｉｏｎ  ｏｎ  ｓｌｉｃｅｄ  ｂｅｅｆ  ｓｕｒｆａｃｅ，Ｆｏｏｄ  Ｓｃｉｅｎｃｅ  ａｎｄ  Ｔｅｃｈｎｏｌｏｇｙ，ＤＯＩ１０．１０１６／ｊ．ｌｗｔ．２０１５．１１．０６５（２０１５）
【非特許文献２】蔦瑞樹，相山怜子，恩田浩幸，鈴木久美子，佐川岳人，蛍光指紋と多変量解析による黒胡椒抽出液の産地判別，２０１７年度日本食品科学工学会大会
【発明の概要】
【発明が解決しようとする課題】
【００１０】
本発明は、上記に鑑みてなされたものであり、蛍光指紋のマーカーシグナルを迅速かつ高精度に検出することが可能な成分抽出方法、蛍光指紋測定装置、及びコンピュータが実行可能なプログラムを提供することを目的とする。
【課題を解決するための手段】
【００１１】
上述した課題を解決し、目的を達成するために、本発明は、１つのサンプルに対して、抽出条件を連続的に遷移させて成分の異なる複数のサンプルを抽出するサンプル抽出工程と、前記抽出した複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得工程と、を含むことを特徴とする。
【００１２】
また、本発明の好ましい態様によれば、さらに、前記抽出した複数のサンプルに対して測定による実測値を取得する実測値取得工程と、前記蛍光指紋連続体情報を説明変数、前記実測値を目的変数として多変量解析を行い、多変量解析の結果に基づいて、蛍光指紋に基づく指標値を推定し、推定に重要な波長領域であるマーカーシグナルを検出するマーカーシグナル検出工程と、を含むことにしてもよい。
【００１３】
また、本発明の好ましい態様によれば、前記１つのサンプルは、薬用植物、機能性食品、機能性を有する青果物、通常の食品、木材、及び水質評価対象の水を含むことにしてもよい。
【００１４】
また、本発明の好ましい態様によれば、前記サンプル抽出工程では、極性、温度、又は分子量に基づいた抽出法で前記複数のサンプルを抽出することにしてもよい。
【００１５】
また、本発明の好ましい態様によれば、前記測定は、各種の生理活性評価及び化学分析を含むことにしてもよい。
【００１６】
また、本発明の好ましい態様によれば、前記多変量解析は、主成分回帰、クラスター分析、判別分析、ＳＩＭＣＡ、重回帰分析、ＰＬＳ回帰分析、ＰＬＳ判別、ＳＶＭ回帰、ＳＶＭ判別、ＲＦ回帰、及びＲＦ判別の１又は複数であることにしてもよい。
【００１７】
また、本発明の好ましい態様によれば、前記マーカーシグナル検出工程では、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことにしてもよい。
【００１８】
また、本発明の好ましい態様によれば、前記蛍光指紋連続体情報に対して、中心化、標準化、規格化、微分、ベースライン補正、および／または、平滑化の処理を行うデータ前処理工程を更に含むことにしてもよい。
【００１９】
また、上述した課題を解決し、目的を達成するために、本発明は、１つのサンプルに対して、抽出条件を連続的に遷移させて取得した成分の異なる複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得手段を備えたことを特徴とする。
【００２０】
また、本発明の好ましい態様によれば、さらに、前記蛍光指紋連続体情報を説明変数、前記複数のサンプルに対する測定による実測値を目的変数として多変量解析を行い、多変量解析の結果に基づいて、蛍光指紋に基づく指標値を推定し、推定に重要な波長領域であるマーカーシグナルを検出するマーカーシグナル検出手段を備えることにしてもよい。
【００２１】
また、本発明の好ましい態様によれば、前記１つのサンプルは、薬用植物、機能性食品、機能性を有する青果物、通常の食品、木材、及び水質評価対象の水を含むことにしてもよい。
【００２２】
また、本発明の好ましい態様によれば、前記測定は、各種の生理活性評価及び化学分析を含むことにしてもよい。
【００２３】
また、本発明の好ましい態様によれば、前記多変量解析は、主成分回帰、クラスター分析、判別分析、ＳＩＭＣＡ、重回帰分析、ＰＬＳ回帰分析、ＰＬＳ判別、ＳＶＭ回帰、ＳＶＭ判別、ＲＦ回帰、及びＲＦ判別の１又は複数であることにしてもよい。
【００２４】
また、本発明の好ましい態様によれば、前記マーカーシグナル検出手段は、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことにしてもよい。
【００２５】
また、本発明の好ましい態様によれば、前記蛍光指紋連続体情報に対して、中心化、標準化、規格化、微分、ベースライン補正、および／または、平滑化の処理を行うデータ前処理工程を更に含むことにしてもよい。
【００２６】
また、上述した課題を解決し、目的を達成するために、本発明は、１つのサンプルに対して、抽出条件を連続的に遷移させて取得した成分の異なる複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得工程をコンピュータに実行させるためのコンピュータが実行可能なプログラムであることを特徴とする。
【００２７】
また、本発明の好ましい態様によれば、さらに、前記抽出した複数のサンプルに対して測定による実測値を取得する実測値取得工程と、前記蛍光指紋連続体情報を説明変数、前記実測値を目的変数として多変量解析を行い、多変量解析の結果に基づいて、蛍光指紋に基づく指標値を推定し、推定に重要な波長領域であるマーカーシグナルを検出するマーカーシグナル検出工程と、をコンピュータに実行させることにしてもよい。
【００２８】
また、本発明の好ましい態様によれば、前記１つのサンプルは、薬用植物、機能性食品、機能性を有する青果物、通常の食品、木材、及び水質評価対象の水を含むことにしてもよい。
【００２９】
また、本発明の好ましい態様によれば、前記測定は、各種の生理活性評価及び化学分析を含むことにしてもよい。
【００３０】
また、本発明の好ましい態様によれば、前記多変量解析は、主成分回帰、クラスター分析、判別分析、ＳＩＭＣＡ、重回帰分析、ＰＬＳ回帰分析、ＰＬＳ判別、ＳＶＭ回帰、ＳＶＭ判別、ＲＦ回帰、及びＲＦ判別の１又は複数であることにしてもよい。
【００３１】
また、本発明の好ましい態様によれば、前記マーカーシグナル検出工程では、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことにしてもよい。
【００３２】
また、本発明の好ましい態様によれば、前記蛍光指紋連続体情報に対して、中心化、標準化、規格化、微分、ベースライン補正、および／または、平滑化の処理を行うデータ前処理工程をさらにコンピュータに実行させることにしてもよい。
【発明の効果】
【００３３】
本発明によれば、蛍光指紋のマーカーシグナルを迅速かつ高精度に検出することが可能になるという効果を奏する。
【図面の簡単な説明】
【００３４】
【図１】図１は、本発明の概略を説明するための説明図である。
【図２】図２は、測定対象物に励起光を照射した場合に、測定対象物から発せられる蛍光を説明するための図である。
【図３】図３は、蛍光指紋の一例を３次元データの等高線状のグラフにて示す図である。
【図４】図４は、図３の蛍光指紋の一例を平面的に表した俯瞰図である。
【図５】図５は、本実施の形態に係る蛍光指紋測定方法を説明するためのフローチャートである。
【図６】図６は、蛍光指紋情報に対して行われるデータ前処理の第１段階を説明するための図である。
【図７】図７は、蛍光指紋情報に対して行われるデータ前処理の第２段階（中心化）を説明するための図である。
【図８】図８は、蛍光指紋情報に対して行われるデータ前処理の第２段階（規格化）を説明するための図である。
【図９】図９は、蛍光指紋情報に対して行われるデータ前処理の第２段階（標準化）を説明するための図である。
【図１０】図１０は、本実施の形態に係る蛍光指紋測定装置の構成の一例を示すブロック図である。
【図１１】図１１は、蛍光指紋取得装置の一例を示すブロック図である。
【図１２】図１２は、本発明の蛍光指紋測定方法の一実施例を説明するための図である。
【図１３】図１３は、本発明の蛍光指紋測定方法の一実施例を説明するための図である。
【図１４】図１４は、本発明の蛍光指紋測定方法の一実施例を説明するための図である。
【図１５】図１５は、本発明の蛍光指紋測定方法の一実施例を説明するための図である。
【図１６】図１６は、本発明の蛍光指紋測定方法の一実施例を説明するための図である。
【図１７】図１７は、本発明の蛍光指紋測定方法の一実施例を説明するための図である。
【図１８】図１８は、本発明の蛍光指紋測定方法の一実施例を説明するための図である。
【図１９】図１９は、本発明の蛍光指紋測定方法の一実施例を説明するための図である。
【図２０】図２０は、本発明の蛍光指紋測定方法の一実施例を説明するための図である。
【発明を実施するための形態】
【００３５】
以下に、本発明に係る成分抽出方法、蛍光指紋測定装置、及びコンピュータが実行可能なプログラムの実施の形態を、図１〜図２０を参照して詳細に説明する。なお、この実施の形態によりこの発明が限定されるものではない。
【００３６】
［１．本発明の概要］
本発明は、試料抽出時に、含有成分を独立した単一ピークとして分離するのではなく、試料成分が連続的に分配される条件下で一続きの複数の画分として取得し（「網羅抽出法」ともいう）、それぞれの画分の蛍光指紋情報を取得順に統合して再構成した「蛍光指紋連続体」を取得し、この蛍光指紋連続体に対し多変量解析を施して、蛍光指紋のマーカーシグナルを検出するものである。
【００３７】
すなわち、本発明は、従来、励起波長・蛍光波長・蛍光強度の３次元データから成る蛍光指紋を、画分取得順序という次元に沿って展開した「蛍光指紋連続体」として取得・解析する新しい方法を提案するものである。
【００３８】
また、本発明は、含有成分のそれぞれが異なる濃度で複数の画分に分配されるような抽出条件を用いることで、上記問題を大幅に緩和し、従来の蛍光指紋法よりも大量の蛍光シグナルを得られることができ、品質を特徴付けるマーカーシグナルの探索が容易となる。
【００３９】
また、従来の蛍光指紋法では、マーカーシグナルの探索・推定モデルの確立に数十の標本を必要としたが、本発明では、得られた画分同士で品質と蛍光指紋を比較することで、一標本からキーシグナルを得ることが可能である。
【００４０】
また、本発明は、成分抽出条件を連続的に遷移させる前提であるため、従来の蛍光指紋法における前処理条件の最適化を考慮する必要がない。抽出条件としては、主に極性の大きく異なる溶媒の組み合わせによる固液連続抽出等が用いられるが、逆相・順相、サイズ排除カラム等でも利用可能である。
【００４１】
本発明は、例えば、多数成分の関与する品質評価が求められる機能性食品、薬用植物、及び機能性を有する青果物などの迅速簡便な一次的品質管理に適している。一次スクリーニングに用いる本発明と、確定管理検査に用いる従来法・公定法を組み合わせることにより、低コストで品質を保証することが可能になる。
【００４２】
後述するように、一実施例として、インドネシアで母乳分泌促進剤などとして使われてきた伝統薬であるＰｌｅｃｔｒａｎｔｈｕｓ  ａｍｂｏｎｉｃｕｓ  Ｌｏｕｒ（ＰＡ）の葉から複数の画分（フラクション）を取得し、各々の画分について、蛍光指紋とマウス初代免疫細胞からの抗原特異的なＩＦＮ−γ産生抑制活性を測定し、ＯＰＬＳ解析を行い、ＩＦＮ−γ産生抑制活性と強い相関がある蛍光指紋上のマーカーシグナルを検出し、本発明の有用性を立証した。
【００４３】
図１を参照して、本発明の概略を説明する。図１は、本発明の概略を説明するための説明図である。
【００４４】
本発明は、まず、１つのサンプルに対して、抽出条件を連続的に遷移させて成分の異なる複数のサンプルを抽出する（Ｓ１）。抽出した複数のサンプルに対して、蛍光指紋計測を行い、それぞれ、照射する励起波長および観測する蛍光波長を段階的に変化させながら蛍光強度を測定して、複数の蛍光指紋情報を蛍光指紋連続体情報として取得する（Ｓ２）。他方、複数のサンプルに対して測定（生理活性評価、化学分析等）を行って実測値を取得する（Ｓ３）。蛍光指紋連続体情報を説明変数、実測値を目的変数として多変量解析を行い（Ｓ４）、多変量解析の結果に基づいて、蛍光指紋に基づく指標値を推定し、推定に重要な波長領域であるマーカーシグナルを検出する（Ｓ５）。検出したマーカーシグナルの成分を、データベース（文献情報）等を使用して推定（同定）する（Ｓ６）。
【００４５】
［蛍光指紋］
図２から図４を参照し、蛍光指紋について説明する。図２は、測定対象物に励起光を照射した場合に、測定対象物から発せられる蛍光を説明するための図である。図３は、蛍光指紋の一例を３次元データの等高線状のグラフにて示す図である。図４は、図３の蛍光指紋の一例を平面的に表した俯瞰図である。  
【００４６】
図２に示すように、測定対象物に励起光（様々な波長の光）を照射し、測定対象物から発せられた蛍光を検出する。「蛍光指紋」とは、図３に示すように、測定対象物に照射する励起波長、測定対象物から発する蛍光波長、測定対象物の蛍光強度の３軸からなる３次元データの等高線状のグラフである。  
【００４７】
また、図４に示すように、「蛍光指紋」は、横軸を蛍光波長、縦軸を励起波長として各ポイントの蛍光強度を等高線プロットすることにより平面的に表すことができる。
【００４８】
蛍光指紋は、測定対象物に対し蛍光染色等の前処理をせずにキャラクタリゼーションが可能であること、操作が容易で短時間で測定できること、さらに吸光法に比べ感度が高いこと、非破壊で測定が可能であることなどの長所を有することから、食品等の内部構造の分析や、大気中の浮遊物の測定や、染料の原料特定などに利用されている手法である。  
【００４９】
このように、「蛍光指紋」は、３次元の膨大な情報を有する成分固有の蛍光情報であるため、測定者は、蛍光指紋を利用することで、成分の識別が可能であり、かつ、非破壊での計測が可能である。  
【００５０】
本実施の形態では、励起波長・蛍光波長・蛍光強度の３次元データから成る蛍光指紋について、抽出した複数のサンプルに対して、画分取得順序という次元に沿って展開した「蛍光指紋連続体情報」として取得・解析する。
【００５１】
［多変量解析］
多変量解析には、（１）教師なし（パターン認識）と、（２）教師ありと、がある。（１）教師なしには、主成分分析、クラスター分析等がある。（２）教師ありには、（２−１）判別分析、（２−２）回帰分析等がある。  
【００５２】
（２−１）判別分析は、いくつかのグループにデータを分けるものであり、ＰＬＳ（Ｐａｒｔｉａｌ  ｌｅａｓｔ  ｓｑｕａｒｅｓ）判別分析、ＳＩＭＣＡ（Ｓｏｆｔ  Ｉｎｄｅｐｅｎｄｅｎｔ  Ｍｏｄｅｌｉｎｇ  ｏｆ  Ｃｌａｓｓ  Ａｎａｌｏｇｙ）、および、ＳＶＭ（Ｓｕｐｐｏｒｔ  Ｖｅｃｔｏｒ  Ｍａｃｈｉｎｅ）判別分析等がある。  
【００５３】
（２−２）回帰分析は、特定の数値を推定する回帰式（検量線）を作成するものであり、回帰分析には、重回帰分析、ＰＬＳ回帰分析、主成分回帰分析、ＲＦ回帰、および、ＳＶＭ回帰がある。  
【００５４】
より望ましくはＲＦ回帰、ＰＬＳ回帰であり、さらに望ましくはＰＬＳ回帰である。望ましいとされる分析手法を採用することで、より正確にマーカーシグナルを検出することが可能となる。
【００５５】
また、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことにしてもよい。
【００５６】
［蛍光指紋測定方法（成分抽出方法）］
図５〜図９を参照し、本実施の形態に係る蛍光指紋測定方法（成分抽出方法）について説明する。図５は、本実施の形態に係る蛍光指紋測定方法を説明するためのフローチャートである。
【００５７】
図５において、まず、サンプル抽出工程を実行する（ステップＳ１１）。サンプル抽出工程では、測定対象の１つのサンプルを準備し、この１つのサンプルに対して、抽出条件を連続的に遷移させて成分の異なる複数のサンプルを抽出（網羅抽出法）する。
【００５８】
サンプルは、例えば、薬用植物、機能性食品、及び機能性を有する青果物の他、普通の食品、木材、水質評価の対象となる水等の各種のものを対象としてもよい。
【００５９】
例えば、カラムと抽出装置で構成されるサンプル抽出装置を使用して、極性、温度、又は分子量に基づいた抽出法で１つのサンプルに対して、成分の異なる複数のサンプルを抽出することができる。具体的には、例えば、乾燥粉末のサンプルを、海砂（Ｗａｋｏ  Ｐｕｒｅ  Ｃｈｅｍｉｃａｌ  Ｉｎｄｕｓｔｒｙ  Ｌｔｄ．，  Ｏｓａｋａ，  Ｊａｐａｎ）と共に、ステンレススチールカラムに充填し、抽出装置により、極性の異なる溶媒を段階的に混合した溶媒で、所定の流量で、所定時間間隔で画分を複数取得する。遠心エバポレータ（例：Ｅｙｅｌａ  Ｃｅｎｔｒｉｆｕｇａｌ  Ｖａｐｏｒｉｚｅｒ  ＣＶＥ−２００Ｄ，  Ｔｏｋｙｏ  Ｒｉｋａｋｉｋａｉ  Ｃｏ．，  Ｌｔｄ．，  Ｊａｐａｎ）  などで抽出溶媒を揮発させて、乾固物の画分を得る。乾固物は、後述するように、所定の溶媒（例えば、ＤＭＳＯ）で再溶解し、蛍光指紋測定と実測値の測定に供する。
【００６０】
抽出装置としては、例えば、（１）グラジエントポンプ（例えば、Ｊａｓｃｏ  ＰＵ−９８０  Ｇｕｌｌｉｖｅｒ  ＨＰＬＣ  ｐｕｍｐ）、（２）高速溶媒抽出装置（例えば、サーモサイエンティフィックＡＳＥ−３５０／ＡＳＥ−５０）、（３）遠心管、遠心分離機、超音波洗浄機の組み合わせによるバッチ処理等を使用することができる。
【００６１】
極性の異なる溶媒を使用する替わりに、抽出溶媒の温度を段階的に上昇（下降）させ、複数の画分を取得することにしてよい。また、サイズ排除カラムを用いた連続的に異なる分子量成分、溶媒の塩濃度等を連続的に変化させた時に溶出される成分などを複数の画分として取得することにしてもよい。
【００６２】
つぎに、蛍光指紋連続体情報取得工程を実行する（Ｓ１２）。蛍光指紋連続体情報取得工程では、例えば、所定の溶媒で再溶解させた複数のサンプルに対して、それぞれ、照射する励起波長および観測する蛍光波長を段階的に変化させながら蛍光強度を測定して、複数の蛍光指紋情報を蛍光指紋連続体として取得する。
【００６３】
具体的には、再溶解させた複数のサンプルをそれぞれ、セル（例えば、１ｍＬのセル（ＦＭ２０−ＳＱ−３，ＧＬ  Ｓｃｉｅｎｃｅｓ  Ｉｎｃ．，Ｔｏｋｙｏ，Ｊａｐａｎ））に入れて計測装置にセットする。
【００６４】
計測装置としては、分光蛍光光度計を使用することができ、励起波長（例えば、スリット幅＝１０ｎｍ、２００〜９００ｎｍの計測波長範囲内で１０ｎｍのデータ取得間隔ごとのｍ個の波長）と、蛍光波長（例えば、スリット幅＝１０ｎｍ、２００〜９００ｎｍの計測波長範囲で１０ｎｍのデータ取得間隔ごとのｎ個の波長）と、の組み合わせを変えながら、合計ｍ×ｎ通りの波長条件で、測定対象物の蛍光強度を取得してもよい。また、波長のスキャンスピードとフォトマル電圧はそれぞれ、５００ｎｍ／ｓ、４００Ｖに設定としてもよい。
【００６５】
ここで、測定者は、計測回数（例えば、各試料につき３回）を調整してもよい。図６（Ａ）は、測定対象物の蛍光指紋の一例を示す図である。  
【００６６】
蛍光分光光度計としては、例えば、（１）日立ハイテクノロジーズ  Ｆ−７０００型蛍光分光高度計、（２）日本分光  ＦＰ−８５００蛍光分光光度計、（３）独自開発の装置（例えば、光源（キセノンｏｒＬＥＤランプ）＋分光機構（回折格子・光学フィルタ）＋検出器からなる装置）、（４）ＨＰＬＣ等の検出器として、オンラインで使用できるような光源と分光機構、検出器を有した装置等を使用することができる。
【００６７】
図６（Ａ）に示すように、測定対象物について、照射する励起波長および観測する蛍光波長の組み合わせが異なるｍ×ｎ波長条件で蛍光強度を取得し、測定対象物の蛍光指紋情報を取得する。  
【００６８】
図５に戻り、取得した蛍光指紋情報に対して、必要によりデータ前処理工程を実行する（ステップＳ１４）。  
【００６９】
以下、図６から図９を参照して、多変量解析前に蛍光指紋情報に対して行われるデータ前処理について説明する。  
【００７０】
図６は、蛍光指紋情報に対して行われるデータ前処理の第１段階を説明するための図である。図７から図９は、蛍光指紋情報に対して行われるデータ前処理の第２段階を説明するための図である。  
【００７１】
データ前処理は、例えば、１．蛍光指紋の散乱光の除去と２次元データへの展開との第１段階、２．２次元の蛍光指紋情報に対する信号処理演算（例えば、中心化、標準化、規格化、２次微分、ベースライン補正、および、平滑化等）の第２段階の処理がある。
【００７２】
＜１．蛍光指紋の散乱光の除去と２次元データへの展開（第１段階の処理）＞
図６（Ａ）に示すように、取得された蛍光指紋情報は、合計ｍ×ｎの波長条件（＝励起波長と蛍光波長の組み合わせ）のパラメータからなる高次元の蛍光強度データを含んでおり、更に、蛍光の定義から外れる光学的データ（例えば、励起光の散乱光、その２次光、３次光等：本発明では便宜的にノイズ情報と表記する）を含んでいる。
【００７３】
ここで、散乱光は、蛍光波長と励起波長が一致する波長条件で、または、散乱光の二次光、三次光はそれぞれ蛍光波長が励起波長の２倍、３倍となる波長条件で現れる。
【００７４】
そのため、ノイズ情報を除去するとともに、取得した高次元の蛍光強度データから、目的とする蛍光指紋以外の情報を除去した低次元の蛍光強度データにすることが望ましい。
【００７５】
そこで、図６（Ｂ）に示すように、ノイズ情報となる励起光の散乱光、ならびに、その２次光および３次光のデータ（例えば、図６（Ｂ）の（ｉ）が示すデータ）を削除する。
【００７６】
ここで、散乱光・２次光・３次光ともにある程度の幅をもって現れるため、例えば、前後３０から４０ｎｍの範囲のデータを除くことにしてもよい。  
【００７７】
更に、蛍光波長が励起波長よりも短い範囲のデータ（例えば、図６（Ｂ）の（ｉｉ）が示すデータ）を除去する。  
【００７８】
これは、測定対象物が発する蛍光波長は励起波長より長波長であるので、励起波長より長波長の蛍光波長の蛍光強度データのみを解析するための処理である。  
【００７９】
このように、散乱光および蛍光波長が励起波長よりも短い範囲のデータを除去して、図６（Ｃ）に示すように、測定対象物の特徴を表す蛍光指紋情報を抽出する。
【００８０】
蛍光指紋情報は、上述したように、励起波長、蛍光波長、および、蛍光強度からなる３次元データである。多くの解析手法は２次元データを対象に開発されているため、それらを用いるためには３次元データを２次元に展開する必要がある。
【００８１】
たとえば、図６（Ｃ）に示すように、励起波長２００から７００ｎｍ、および、蛍光波長２００から７００ｎｍ、励起波長、蛍光波長ともに５ｎｍ間隔で取得した蛍光指紋の場合、励起波長２００ｎｍの蛍光スペクトルの後に励起波長２０５ｎｍの蛍光スペクトル、その後に励起波長２１０ｎｍの蛍光スペクトル・・・というように蛍光スペクトルを一列につなげていく。
【００８２】
このようにして展開した２次元データの一例を図６（Ｄ）に示す。図６（Ｄ）は、３つの蛍光スペクトルを示しており、横軸は波長条件（励起波長と蛍光波長の組み合わせ）、縦軸は蛍光強度となる。  
【００８３】
なお、本実施形態においては、第一段階の処理を行わず、３次元データのまま多変量解析を行ってもよい。  
【００８４】
＜２．２次元の蛍光指紋情報に対する信号処理演算（第２段階の処理）＞
２次元に展開した蛍光指紋情報に対して、中心化（ｍｅａｎ  ｃｅｎｔｅｒｉｎｇ）、規格化（ｎｏｒｍａｌｉｚａｔｉｏｎ）、標準化（ａｕｔｏｓｃａｌｅ）、２次微分（２ｎｄ  ｄｅｒｉｖａｔｉｖｅ）、ベースライン補正（ｂａｓｅｌｉｎｅ  ｃｏｒｒｅｃｔｉｏｎ）、および、平滑化（ｓｍｏｏｔｈｉｎｇ）のうちの１つまたは組み合わせて信号処理演算を行う。  
【００８５】
第２段階のデータ前処理を行うことにより、蛍光スペクトルに含まれている情報の強調、異なるサンプルの蛍光スペクトルの尺度を合わせることができる等の効果がある。  
【００８６】
図７は、図６（Ｄ）の蛍光指紋情報を中心化した例を示す図である。「中心化」では、波長条件毎に、全サンプルの蛍光強度の平均を求め、平均が「０」となるように蛍光強度から差し引く処理を行う。  
【００８７】
図８は、図６（Ｄ）の蛍光指紋情報を規格化した例を示す図である。「規格化」ではサンプルごとに蛍光強度の積分（スペクトルの下の面積）を求め、全てのサンプルで積分が「１」となるようにサンプルごとに係数をかける処理を行う。  
【００８８】
図９は、図６（Ｄ）の蛍光指紋情報を標準化した例を示す図である。「標準化」では波長条件毎に、平均が「０」、および、標準偏差が「１」となるよう、平均を差し引いた後に標準偏差で割る処理を行う。  
【００８９】
なお、本実施形態においては、第２段階のデータ前処理を行わずに多変量解析を行ってもよい。  
【００９０】
つぎに、図５に戻り、実測値測定工程を実行して（ステップＳ１３）、複数のサンプルについて測定により実測値を取得する。上記Ｓ１１で作成した複数のサンプルを測定してサンプルの実測値を取得する。測定としては、各種の生理活性評価及び化学分析を含むことにしてもよい。実測値の測定系例としては、例えば、（１）人を含む動植物、微生物等及びその組織のサンプルへの応答性、（２）初代培養細胞、株化培養細胞のサンプルへの応答性、（３）抗体、レセプタータンパク質（細胞表面上、基板に固定化したもののいずれでも可）等とのサンプルの結合性、（４）食品のにおい・味・鮮度・抗酸化性などの品質評価、（５）木材の品質、（６）水質評価にかかる残存有機物の量等の各種のものに適用可能である。
【００９１】
マーカーシグナル検出工程を実行して（ステップＳ１５）、蛍光指紋連続体情報を説明変数、実測値を目的変数として上述の多変量解析を行い、多変量解析の結果に基づいて、蛍光指紋に基づく指標値を推定し、推定に重要な波長領域であるマーカーシグナルを検出する。
【００９２】
ここで、多変量解析を行う場合には、ＭＡＴＬＡＢ（Ｍａｔｈｗｏｒｋｓ  Ｉｎｃ，ＵＳＡ）、Ｕｎｓｃｒａｍｂｌｅｒ（ＣＡＭＯ  Ｓｏｆｔｗａｒｅ  ＡＳ，Ｎｏｒｗａｙ）、ＪＭＰ（ＳＡＳ  Ｉｎｓｔｉｔｕｔｅ  Ｉｎｃ，ＵＳＡ）、または、Ｅｘｃｅｌ（Ｍｉｃｒｏｓｏｆｔ  Ｃｏｒｐｏｒａｔｉｏｎ，ＵＳＡ）等の汎用のソフトウェアや独自開発のソフトウェアを使用してもよい。  
【００９３】
そして、成分推定工程を実行して（ステップＳ１６）、検出したマーカーシグナルの成分を、データベース等を使用して推定（同定）する。
【００９４】
［蛍光指紋測定装置］
次に、本発明の蛍光指紋測定装置の構成について図１０および図１１を参照し実施形態を例に挙げて説明する。  
【００９５】
なお、本実施の形態に係る蛍光指紋測定装置は、前述の蛍光指紋測定方法に好適に使用できるものであるが、本実施の形態に係る蛍光指紋測定方法に用いる装置はこれに限定されるものではない。  
【００９６】
ここで、図１０は、本実施の形態に係る蛍光指紋測定装置の構成の一例を示すブロック図であり、該構成のうち本発明に関係する部分のみを概念的に示している。  
【００９７】
図１０に示すように、蛍光指紋測定装置２０は、少なくとも蛍光指紋取得装置１０を備えている。蛍光指紋取得装置１０は、蛍光指紋情報を取得する装置であり、分光照明装置１１および分光検出装置１２を備えている。  
【００９８】
また、蛍光指紋測定装置２０は、蛍光指紋取得装置１０で取得した蛍光指紋連続体情報から、測定対象物１３のマーカーシグナルを検知する装置であり、メモリ２１、制御部２３、および、計算処理部２４を備えており、測定者はキーボード・マウス２２により、蛍光指紋取得装置１０に測定条件等を入力する。
【００９９】
ここで、図１１は、蛍光指紋取得装置１０の一例を示すブロック図であり、該構成のうち本発明に関係する部分のみを概念的に示している。
【０１００】
図１１に示すように、蛍光指紋取得装置１０は、光源１１０と分光装置１１２とを備えた分光照明装置１１、および、分光装置１２２と蛍光指紋検出装置１２４とを備えた分光検出装置１２を備えている。  
【０１０１】
分光照明装置１１は、測定対象物１３に、所定の波長の励起光を照射して測定対象物１３の成分から蛍光を生じさせる装置である。測定対象物１３は、例えば、上述した１つのサンプルから抽出した成分の異なる複数のサンプルである。分光照明装置１１は、照射する励起波長を任意に変える励起波長可変手段を有する。  
【０１０２】
分光検出装置１２は、所定の蛍光波長において、測定対象物１３の蛍光強度を取得する。分光検出装置１２は、測定対象物１３が発した蛍光のうち、特定の蛍光波長を選択的に捕えて、蛍光強度を計測する。分光検出装置１２は、観測する蛍光波長を任意に変える蛍光波長可変手段を有する。
【０１０３】
ここで、図１０に戻り、蛍光指紋測定装置２０について説明する。  
【０１０４】
蛍光指紋測定装置２０は、上述の蛍光指紋測定方法を実行するための装置である。図１０に示すように、蛍光指紋測定装置２０は、メモリ２１、制御部２３、および、計算処理部２４を備えており、キーボード・マウス２２、Ｉ／Ｏポート（例えば、ＵＳＢポート等）２６、および、ディスプレイ３０等が接続されている。  
【０１０５】
メモリ２１は、蛍光指紋取得装置１０の蛍光指紋検出装置１２４から蛍光指紋測定装置２０へ転送され、計算処理部２４の蛍光指紋連続体情報取得部２４−１により取得された蛍光指紋連続体情報、ならびに、測定による実測値等を格納する。
【０１０６】
測定による実測値は、キーボード・マウス２２またはＩ／Ｏポート２６から入力することができる。
【０１０７】
制御部２３は、測定者が入力した励起波長範囲、蛍光波長範囲、波長ピッチで測定対象物１３の蛍光指紋を取得するように、分光照明装置１１が照射する励起波長、および、分光検出装置１２が観測する蛍光波長を調整する指示を行い、また、計算処理部２４に処理を行うよう命令する。
【０１０８】
ここで、蛍光指紋取得装置１０から転送された蛍光指紋連続体情報は、蛍光指紋測定装置２０のメモリ２１に格納される。  
【０１０９】
計算処理部２４は、蛍光指紋連続体情報取得部２４−１、データ前処理部２４−２、マーカーシグナル検出部２４−３、および、成分推定部２４−４を備える。  
【０１１０】
ここで、蛍光指紋連続体情報取得部２４−１は、１つのサンプルから抽出した成分の異なる複数のサンプル（測定対象物１３）に対して、それぞれ、所定の励起波長範囲および所定の蛍光波長範囲で、照射する励起波長および観測する蛍光波長を段階的に変化させながら、複数のサンプルの蛍光強度を測定して、複数のサンプルの蛍光指紋情報を蛍光指紋連続体情報として取得する。
【０１１１】
データ前処理部２４−２は、蛍光指紋連続体情報に対して、それぞれ、中心化、標準化、規格化、微分、ベースライン補正、および／または、平滑化の処理を行う。  
【０１１２】
マーカーシグナル検出部２４−３は、蛍光指紋連続体情報を説明変数、実測値を目的変数として多変量解析を行い、多変量解析の結果に基づいて、蛍光指紋に基づく指標値を推定し、推定に重要な波長領域であるマーカーシグナルを検出する。ここで、マーカーシグナル検出部２４−３は、多変量解析として主成分回帰、クラスター分析、判別分析、ＳＩＭＣＡ、重回帰分析、ＰＬＳ回帰分析、ＰＬＳ判別、ＳＶＭ回帰、ＳＶＭ判別、ＲＦ回帰、および／または、ＲＦ判別を行うことで、サンプルのマークシグナルを検出してもよい。また、多変量解析で得られる回帰係数、因子負荷量、ローディング、ｓｅｌｅｃｔｉｖｉｔｙ  ｒａｔｉｏ、ｖａｒｉａｂｌｅ  ｉｍｐｏｒｔａｎｃｅ  ｉｎ  ｐｒｏｊｅｃｔｉｏｎ、変数重要度、ｏｕｔ  ｏｆ  ｂａｇ  ｅｒｒｏｒの１または複数の回帰・判別への寄与率を示す指標に基づき、マーカーシグナルの検出を行うことにしてもよい。
【０１１３】
成分推定部２４−４は、測定者のキーボード・マウス２２の操作に応じて、データベースや文献情報を参照して、マーカーシグナル検出部２４−３で検出されたマークシグナルの成分を推定する。
【０１１４】
例えば、測定者がキーボード・マウス２２を通じて、計算処理部２４に対して処理を行うよう命令すると、まず、計算処理部２４の蛍光指紋連続体情報取得部２４−１が、メモリ２１に格納された蛍光指紋連続体情報を抽出する。  
【０１１５】
計算処理部２４のマーカーシグナル検出部２４−３は、抽出された蛍光指紋情報及び実測値に対して、（データ前処理部２４−２による前処理の後）、多変量解析を行い、マーカーシグナルを検出する。本実施形態において、計算処理部２４のマーカーシグナル検出部２４−３は、例えば、多変量解析としてＯＰＬＳ回帰分析を使用して、マーカーシグナルを検出してもよい。
【０１１６】
計算処理部２４のマーカーシグナル検出部２４−３は、多変量解析の結果を、メモリ２１に格納してもよく、ディスプレイ３０上に出力してもよく、プリンタ（図示せず）を介して印刷してもよい。  
【０１１７】
計算処理部２４の成分推定部２４−４は、蛍光指紋のマーカーシグナルの成分を推定する。
【０１１８】
［実施例］
以下、図１２から図２０を参照して実施例について説明する。なお、本発明はこの実施例に限定されるものではない。  
【０１１９】
本実施例では、本発明の蛍光指紋測定方法を使用して、インドネシアで母乳分泌促進剤などとして使われてきた伝統薬であるＰｌｅｃｔｒａｎｔｈｕｓ  ａｍｂｏｎｉｃｕｓ  Ｌｏｕｒ（ＰＡ）の葉の活性成分を推定した事例について説明する。
【０１２０】
図１２は、サンプル抽出工程（Ｓ１１）の実施例を説明するためのサンプル抽出装置の一例を示す図、図１３は、使用する溶媒の段階的な混合のタイムスケジュールを示す図である。
【０１２１】
図１２に示すように、サンプル抽出工程では、上述のインドネシアの伝統薬の乾燥粉末１ｇを、メタノール洗浄済２０−３５  ｍｅｓｈの海砂（Ｗａｋｏ  Ｐｕｒｅ  Ｃｈｅｍｉｃａｌ  Ｉｎｄｕｓｔｒｙ  Ｌｔｄ．，Ｏｓａｋａ，Ｊａｐａｎ）５ｇと共に、ステンレススチールカラム（５ｃｍ長、２ｃｍ径）に充填し、グラジエントポンプ（例：Ｊａｓｃｏ  ＰＵ−９８０  Ｇｕｌｌｉｖｅｒ  ＨＰＬＣ  ｐｕｍｐ（Ｊａｓｃｏ，Ｔｏｋｙｏ，Ｊａｐａｎ））により、ヘキサン、アセトン、水を段階的に混合した溶媒で、３ｍｌ／ｍｉｎの流量で、５分置きに画分を取得し、計７５分抽出して、１５種類の画分を取得した。より具体的には、図１３に示すように、０−１５分は、ヘキサン１００％を、１５−３０分は、ヘキサン１００％とアセトン１００％の混合液を、３０−４５分は、アセトン１００％を、４５−６０分は、アセトン１００％と水１００％の混合液を、６０−７５分は、水１００％を使用した。
【０１２２】
これを３回繰り返して、４５種類の画分を得た。４５種類の画分に対して、遠心エバポレータ（例：Ｅｙｅｌａ  Ｃｅｎｔｒｉｆｕｇａｌ  Ｖａｐｏｒｉｚｅｒ  ＣＶＥ−２００Ｄ，  Ｔｏｋｙｏ  Ｒｉｋａｋｉｋａｉ  Ｃｏ．，Ｌｔｄ．，Ｊａｐａｎ）で抽出溶媒を揮発させて、４５種類の画分の乾固物を得た。これらの乾固物は、ジメチルスルホキシド（ＤＭＳＯ，  Ｗａｋｏ  Ｐｕｒｅ  Ｃｈｅｍｉｃａｌ  Ｉｎｄｕｓｔｒｙ  Ｌｔｄ．，Ｏｓａｋａ，Ｊａｐａｎ）５００ｍＬに再溶解して、４５種類のサンプルを得た。サンプルは、１回目を「Ａ」、２回目を「Ｂ」、３回目を「Ｃ」として、取得順に「１」〜「１５」とする。例えば、２回目の３番目に取得したサンプルは「Ｂ３」なる。
【０１２３】
図１４は、蛍光指紋連続体取得工程（Ｓ１２）の実施例を示す図である。図１４に示すように、蛍光指紋連続体取得工程では、４５種類のサンプルのそれぞれについて、１ｍＬのサンプルを１ｍＬのセル（ＦＭ２０−ＳＱ−３，ＧＬ  Ｓｃｉｅｎｃｅｓ  Ｉｎｃ．，Ｔｏｋｙｏ，Ｊａｐａｎ）に入れ、Ｆ−７０００型蛍光分光高度計により、励起光・蛍光共に、スリット幅は１０ｎｍとし、２００−９００ｎｍの範囲及び波長１０ｎｍ間隔で、それぞれ蛍光指紋情報を取得して、これにより、蛍光指紋連続体情報を取得した。波長のスキャンスピードとフォトマル電圧はそれぞれ、５００ｎｍ／ｓ、４００Ｖに設定した。
【０１２４】
図１５及び図１６は、実測値測定工程（Ｓ１３）の実施例を説明するための図である。
図１５に示すように、ＤＯ１１．１０マウスから採取した脾臓免疫細胞を抗原である卵白アルブミンで刺激し、サンプルＡ１〜Ｃ１５（４５個）をそれぞれ添加して７２時間培養し、培養上清中の炎症性サイトカインであるＩＦＮ−γをＥＬＩＳＡ法で測定した。
【０１２５】
図１６は、ＤＭＳＯのみを添加した細胞培養上清のＩＦＮ−γ量を１００％として、各サンプル添加群のＩＦＮ−γ産生量を相対値として示したものである。図１６に示すように、ヘキサン抽出フラクション（１Ａ，１Ｂ，１Ｃ）が最も強い抑制活性を示したが、５Ａ，６Ａ，６Ｂ，７Ｂ，１１Ａも抑制活性を示したことから活性成分は極性の高いものから低いものまで広範囲にわたることが示された。
【０１２６】
図１７〜図１８は、マーカーシグナル検出工程（Ｓ１５）の実施例を説明するための図である。図１７は、蛍光指紋連続体情報とＩＦＮ−γ産生抑制データのＯＰＬＳ  Ｓ−ｐｌｏｔのグラフを示す図である。図１８は、本実施例の蛍光指紋のマーカーシグナルを示す図である。図１７に示すように、ＯＰＬＳ解析の結果、ＩＦＮ−γ抑制活性のあるサンプルとないサンプルをスコアプロット上で分けることが出来た。なお本解析は、ｍｅａｎｓ  ｏｆ  ｃｒｏｓｓ  ｖａｌｉｄａｔｉｏｎ  ａｎｄ  ｐｅｒｍｕｔａｔｉｏｎ  ｔｅｓｔ．で妥当性が確認できた。図１７のグラフからλｅｘ＝２６５−２７５ｎｍ  ａｎｄ  λｅｍ＝２９５−３１０ｎｍのシグナルが活性の最も強いグループのマーカーであることが示された。図１８において、横軸は、励起波長λｅｘ、縦軸は、蛍光波長λｅｍを示しており、丸で囲った部分（λｅｘ＝２６５−２７５ｎｍ  ａｎｄ  λｅｍ＝２９５−３１０ｎｍ）がマーカーシグナルを示している。
【０１２７】
図１９は、同じサンプルをヘキサンで抽出した場合の従来の蛍光指紋を示す図である。ヘキサン抽出物は、強いＩＦＮ−γを示すが、その蛍光指紋において、微弱ながらマーカーシグナルを検出することができた。すなわち、蛍光指紋連続体でマーカーシグナルを一度検出することで、これに基づいて通常の蛍光指紋でも微弱ながら確認することができる。逆に言うと、通常の蛍光指紋だけではこのマーカーシグナルを検出することは困難である。
【０１２８】
図２０は、成分推定工程（Ｓ１６）の実施例を示す図である。図２０に示すように、文献情報や、ＮＭＲの解析情報から活性成分の候補として、アズリン酸、ウルソール酸、オレアノール酸、及びトルメンティック酸が推定された。これらの蛍光指紋を測定したところ、これらのシグナルは当該成分のエリア内に収まっていた。
【０１２９】
以上説明したように、本実施の形態によれば、１つのサンプルに対して、抽出条件を連続的に遷移させて成分の異なる複数のサンプルを抽出するサンプル抽出工程と、抽出した複数のサンプルに対して、それぞれ、照射する励起波長および観測する蛍光波長を段階的に変化させながら蛍光強度を測定して、複数の蛍光指紋情報を蛍光指紋連続体情報として取得する蛍光指紋連続体情報取得工程と、を含んでいるので、蛍光指紋のマーカーシグナルを迅速、安価、及び高精度に検出することが可能となる。
【０１３０】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。  
【０１３１】
また、実施の形態において説明した各処理のうち、自動的に行われるものとして説明した処理の全部または一部を手動的に行うこともでき、或いは、手動的に行われるものとして説明した処理の全部または一部を公知の方法で自動的に行うこともできる。  
【０１３２】
このほか、上記文献中や図面中で示した処理手順、制御手順、具体的名称、各処理の登録データや検索条件等のパラメータを含む情報、画面例、データベース構成については、特記する場合を除いて任意に変更することができる。  
【０１３３】
また、蛍光指紋測定装置２０に関して、図示の各構成要素は機能概念的なものであり、必ずしも物理的に図示の如く構成されていることを要しない。  
【０１３４】
例えば、蛍光指紋測定装置２０の各装置が備える処理機能、特に計算処理部２４にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて蛍光指紋測定装置２０に機械的に読み取られる。すなわち、ＲＯＭまたはＨＤなどのメモリ２１などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１３５】
また、このコンピュータプログラムは、蛍光指紋測定装置２０に対して任意のネットワークを介して接続されたアプリケーションプログラムサーバに記憶されていてもよく、必要に応じてその全部または一部をダウンロードすることも可能である。  
【０１３６】
また、本発明に係るプログラムを、コンピュータにて読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。  
【０１３７】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものも含む。なお、実施の形態に示した各装置において記録媒体を読み取るための具体的な構成、読み取り手順、あるいは、読み取り後のインストール手順等については、周知の構成や手順を用いることができる。  
【０１３８】
メモリ２１に格納される各種のデータベース等は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。  
【０１３９】
また、蛍光指紋測定装置２０は、既知のパーソナルコンピュータ、ワークステーション等の情報処理装置として構成してもよく、また、該情報処理装置に任意の周辺装置を接続して構成してもよい。また、蛍光指紋測定装置２０は、該情報処理装置に本発明の方法を実現させるソフトウェア（プログラム、データ等を含む）を実装することにより実現してもよい。  
【０１４０】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【符号の説明】
【０１４１】
１０  蛍光指紋取得装置
１１  分光照明装置
１１０  光源
１１２  分光装置
１２  分光検出装置
１２２  分光装置
１２４  蛍光指紋検出装置
１３  測定対象物
２０  蛍光指紋測定装置
２１  メモリ
２２  キーボード・マウス
２３  制御部
２４  計算処理部
２４−１  蛍光指紋連続体情報取得部
２４−２  データ前処理部
２４−３  マーカーシグナル検出部
２４−４  成分推定部
２６  Ｉ／Ｏポート
３０  ディスプレイ
【図１】
2020076612.tif 000003
【図２】
2020076612.tif 000004
【図３】
2020076612.tif 000005
【図４】
2020076612.tif 000006
【図５】
2020076612.tif 000007
【図６】
2020076612.tif 000008
【図７】
2020076612.tif 000009
【図８】
2020076612.tif 000010
【図９】
2020076612.tif 000011
【図１０】
2020076612.tif 000012
【図１１】
2020076612.tif 000013
【図１２】
2020076612.tif 000014
【図１３】
2020076612.tif 000015
【図１４】
2020076612.tif 000016
【図１５】
2020076612.tif 000017
【図１６】
2020076612.tif 000018
【図１７】
2020076612.tif 000019
【図１８】
2020076612.tif 000020
【図１９】
2020076612.tif 000021
【図２０】
2020076612.tif 000022